(57)【要約】【課題】建屋の昇降路内にエレベータを設置する際に、そのエレベータ用品を昇降路の頂部の位置にまで簡易な手段で容易に能率よく揚重することができるエレベータ用品の揚重装置を提供する。【解決手段】回転自在な滑車１１ａ，１１ｂを備える滑車装置７と、繰出し及び引込みが可能な揚重ロープ１６を備える揚重機１４とを具備し、滑車装置７を建屋の昇降路１内に設けられたエレベータのガイドレール２の頂部に据え付け、その滑車装置７の下方の位置に揚重機１４を連結し、この揚重機１４から揚重ロープ１６を繰出して滑車装置７の滑車１１ａ，１１ｂに掛け通し、その先端部を滑車装置７の下方に垂下させ、この揚重ロープ１６の先端部に昇降路１内に据え付けるためのエレベータ用品１８を連結し、揚重機１４を駆動して揚重ロープ１６を引込むことによりエレベータ用品１８を昇降路１の頂部にまで揚重する。【選択図】    図１
2008007221.tif 000002
【特許請求の範囲】
【請求項１】
回転自在な滑車を備える滑車装置と、繰出し及び引込みが可能な揚重ロープを備える揚重機とを具備し、
前記滑車装置を建屋の昇降路内に設けられたエレベータのガイドレールの頂部に据え付け、その滑車装置の下方の位置に前記揚重機を連結し、この揚重機から前記揚重ロープを繰出して前記滑車装置の滑車に掛け通し、その先端部を滑車装置の下方に垂下させ、この揚重ロープの先端部に前記昇降路内に据え付けるためのエレベータ用品を連結し、前記揚重機を駆動して前記揚重ロープを引込むことにより前記エレベータ用品を昇降路の頂部にまで揚重することを特徴とするエレベータ用品の揚重装置。
【請求項２】
前記ガイドレールには、該ガイドレールに沿って摺動自在な案内具が設けられ、この案内具に前記エレベータ用品が連結され、前記エレベータ用品が上昇する際に該エレベータ用品と一体的に前記案内具が前記ガイドレールに沿って上昇することを特徴とする請求項１に記載のエレベータ用品の揚重装置。
【請求項３】
回転自在な滑車を備える滑車装置と、繰出し及び引込みが可能な揚重ロープを備える揚重機と、回転自在な滑車及び収納ボックスを備える動滑車装置とを具備し、
前記滑車装置を建屋の昇降路内に設けられたエレベータのガイドレールの頂部に据え付け、その滑車装置の下方の位置に前記揚重機を連結し、この揚重機から前記揚重ロープを繰出して前記滑車装置の滑車に掛け通し、その先端側を前記滑車装置の下方にＵ字状に垂下させるとともに先端部を前記滑車装置の一部に係止し、前記Ｕ字状部分の揚重ロープを前記動滑車装置の滑車に掛け通してそのＵ字状部分で前記動滑車装置を支持し、かつ前記収納ボックス内に前記昇降路内に据え付けるためのエレベータ用品を収納し、前記揚重機を駆動して前記揚重ロープを引込むことにより前記動滑車装置を上昇させてその収納ボックス内のエレベータ用品を昇降路の頂部にまで揚重することを特徴とするエレベータ用品の揚重装置。
【請求項４】
それぞれ回転自在な滑車を備える２つの滑車装置と、繰出し及び引込みが可能な揚重ロープを備える揚重機とを具備し、
前記２つの滑車装置を建屋の昇降路内に隣り合って設けられたエレベータの一対のガイドレールの頂部にそれぞれ据え付け、その一方の滑車装置の下方の位置に前記揚重機を連結し、この揚重機から前記揚重ロープを繰出して前記一方の滑車装置の滑車に掛け通し、その先端側をＵ字状に垂下させるとともに前記他方の滑車装置の滑車に掛け通してその先端部を係止し、前記昇降路内に据え付けるためのエレベータ用品に滑車を取り付け、前記Ｕ字状部分の揚重ロープを前記エレベータ用品の滑車に掛け通してそのＵ字状部分で前記エレベータ用品を支持し、前記揚重機を駆動して前記揚重ロープを引込むことにより前記エレベータ用品を昇降路の頂部にまで揚重することを特徴とするエレベータ用品の揚重装置。
【請求項５】
前記滑車装置はガイドレールの頂部に締結具を介して締結固定されることを特徴とする請求項１乃至４のいずれかに記載のエレベータ用品の揚重装置。
【請求項６】
前記ガイドレールの頂部にジャッキボルト装置が設けられ、このジャッキボルト装置により前記滑車装置が前記昇降路の天井面に圧接するように前記ガイドレールの頂部に設けられることを特徴とする請求項１乃至４のいずれかに記載のエレベータ用品の揚重装置。
【発明の詳細な説明】
【技術分野】
【０００１】
この発明は、建屋の昇降路内にエレベータを設置する作業の際に、そのエレベータ用品を昇降路内で揚重するために使用されるエレベータ用品の揚重装置に関する。
【背景技術】
【０００２】
建屋の昇降路内にエレベータを設置する際には、例えば特開２００４−３３１３４８公報に示されるように、そのエレベータの各種の用品を揚重装置を用いて揚重する作業が伴う。エレベータ用品としては、かご駆動用の巻上機、各種のシーブ類、ロープヒッチなど多種多様のものがある。このうち巻上機のように重量が１００Ｋｇを超えるようなものについては、その専用の揚重装置が提案され、使用されている。
【特許文献１】特開２００４−３３１３４８公報
【発明の開示】
【発明が解決しようとする課題】
【０００３】
ところが、巻上機のような高重量のものより軽量なエレベータ用品については作業員の人力で取り扱っているのが現状である。しかし、その用品のなかでも４０Ｋｇを超えるような用品もあり、このような用品では人力による揚重であると作業員に相当な負担がかかり、作業性が大幅に低下し、危険性も伴い、また工期も延びてしまう。
【０００４】
特に昇降路の頂部付近に据え付けるエレベータ用品の場合、昇降路の天井面が至近距離となるため、作業員がエレベータ用品を持ち上げる体勢を確保することが難しくなる。つまり、足場工法で昇降路の頂部付近にエレベータ用品を据え付ける場合、その足場の上方向の自由度が限られ、不自然な体勢で作業をしなければならなくなり、例えば３０ｋｇ程度の用品を取り扱うようなとき、地上などの自由な体勢をとることができる状況であればそれを比較的容易に持ち上げることができるが、昇降路の天井面が邪魔となる頂部付近では自由な体勢をとることができないため労力が格段に増し、作業性が大幅に低下してしまう。
【０００５】
この発明はこのような点に着目してなされたもので、その目的とするところは、建屋の昇降路内にエレベータを設置する際に、そのエレベータ用品を昇降路の頂部の位置にまで簡易な手段で容易に能率よく揚重することができるエレベータ用品の揚重装置を提供することにある。
【課題を解決するための手段】
【０００６】
請求項１の発明は、回転自在な滑車を備える滑車装置と、繰出し及び引込みが可能な揚重ロープを備える揚重機とを具備し、前記滑車装置を建屋の昇降路内に設けられたエレベータのガイドレールの頂部に据え付け、その滑車装置の下方の位置に前記揚重機を連結し、この揚重機から前記揚重ロープを繰出して前記滑車装置の滑車に掛け通し、その先端部を滑車装置の下方に垂下させ、この揚重ロープの先端部に前記昇降路内に据え付けるためのエレベータ用品を連結し、前記揚重機を駆動して前記揚重ロープを引込むことにより前記エレベータ用品を昇降路の頂部にまで揚重することを特徴としている。
【０００７】
請求項２の発明は、前記ガイドレールには、該ガイドレールに沿って摺動自在な案内具が設けられ、この案内具に前記エレベータ用品が連結され、前記エレベータ用品が上昇する際に該エレベータ用品と一体的に前記案内具が前記ガイドレールに沿って上昇することを特徴としている。
【０００８】
請求項３の発明は、回転自在な滑車を備える滑車装置と、繰出し及び引込みが可能な揚重ロープを備える揚重機と、回転自在な滑車及び収納ボックスを備える動滑車装置とを具備し、前記滑車装置を建屋の昇降路内に設けられたエレベータのガイドレールの頂部に据え付け、その滑車装置の下方の位置に前記揚重機を連結し、この揚重機から前記揚重ロープを繰出して前記滑車装置の滑車に掛け通し、その先端側を前記滑車装置の下方にＵ字状に垂下させるとともに先端部を前記滑車装置の一部に係止し、前記Ｕ字状部分の揚重ロープを前記動滑車装置の滑車に掛け通してそのＵ字状部分で前記動滑車装置を支持し、かつ前記収納ボックス内に前記昇降路内に据え付けるためのエレベータ用品を収納し、前記揚重機を駆動して前記揚重ロープを引込むことにより前記動滑車装置を上昇させてその収納ボックス内のエレベータ用品を昇降路の頂部にまで揚重することを特徴としている。
【０００９】
請求項４の発明は、それぞれ回転自在な滑車を備える２つの滑車装置と、繰出し及び引込みが可能な揚重ロープを備える揚重機とを具備し、前記２つの滑車装置を建屋の昇降路内に隣り合って設けられたエレベータの一対のガイドレールの頂部にそれぞれ据え付け、その一方の滑車装置の下方の位置に前記揚重機を連結し、この揚重機から前記揚重ロープを繰出して前記一方の滑車装置の滑車に掛け通し、その先端側をＵ字状に垂下させるとともに前記他方の滑車装置の滑車に掛け通してその先端部を係止し、前記昇降路内に据え付けるためのエレベータ用品に滑車を取り付け、前記Ｕ字状部分の揚重ロープを前記エレベータ用品の滑車に掛け通してそのＵ字状部分で前記エレベータ用品を支持し、前記揚重機を駆動して前記揚重ロープを引込むことにより前記エレベータ用品を昇降路の頂部にまで揚重することを特徴としている。
【００１０】
請求項５の発明は、前記滑車装置がガイドレールの頂部に締結具を介して締結固定されることを特徴としている。
【００１１】
請求項６の発明は、前記ガイドレールの頂部にジャッキボルト装置が設けられ、このジャッキボルト装置により前記滑車装置が前記昇降路の天井面に圧接するように前記ガイドレールの頂部に設けられることを特徴としている。
【発明の効果】
【００１２】
この発明によれば、建屋の昇降路内にエレベータを設置する際に、そのエレベータ用品を昇降路の頂部の位置にまで簡易な手段で容易に能率よく揚重することができる。
【発明を実施するための最良の形態】
【００１３】
以下、この発明の実施の形態について図面を参照して説明する。
【００１４】
図１及び図２には第１の実施形態を示してある。図１に示すように、建屋の昇降路１内には、エレベータのかごの昇降をガイドするガイドレール２が設けられている。このガイドレール２は、昇降路１の内壁部に取り付けられたブラケット３にレールクリップ４を介して据え付けられ、昇降路１の上下方向に延びるように垂直に設置されている。
【００１５】
ガイドレール２の頂部は、昇降路１の天井面１ａに近接している。そしてこのガイドレール２の頂部に滑車装置７が取り付けられている。この滑車装置７は、図２に示すように、断面Ｌ状のアングル材からなる一方向に長い第１の板材８と、この第１の板材８の一側面に離間して対向するように軸部材９を介して取り付けられた一方向に長い平板状の第２の板材１０と、これら第１と第２の板材８，１０間に前記軸部材９を介して回転自在に支持された一対の滑車１１ａ，１１ｂとを備えている。
【００１６】
第１の板材８は水平板８ａと垂直板８ｂとからなり、その垂直板８ｂが第２の板材１０と対向し、その対向間に一対の滑車１１ａ，１１ｂが設けられている。一対の滑車１１ａ，１１ｂは、板材８，１０の両端側の端部に振り分けて取り付けられている。
【００１７】
そして第１の板材８がガイドレール２の頂部に締結具としてのレールクリップ１２を介して締結固定されている。第１の板材８はその長手方向の中間部がガイドレール２の頂部に固定され、前記一対の滑車１１ａ，１１ｂがガイドレール２の両側に均等的に離れるように支持されている。
【００１８】
滑車装置７の下方のブラケット３には揚重機１４が連結フック１５を介して連結されている。揚重機１４は、繰出し及び引込みが可能な揚重ロープ１６を備え、その繰出された揚重ロープ１６が滑車装置７の一端側の滑車１１ａから他端側の滑車１１ｂを通して滑車装置７に掛けられ、この揚重ロープ１６の先端側が滑車装置７の下方側に垂下され、その端部にシャックル１７が取り付けられている。
【００１９】
図１は、エレベータ用品としてのロープヒッチ１８を揚重する場合の例を示している。揚重の手順について説明すると、まず揚重機１４の揚重ロープ１６を繰出してその先端のシャックル１７を所定のレベルの位置にまで下げ、そのシャックル１７に掛具１９を用いてエレベータ用品としてのロープヒッチ１８を連結する。次に揚重機１４を駆動して揚重ロープ１６を引込み、ロープヒッチ１８を引き上げる。そして引き上げたロープヒッチ１８を所定の据え付け位置に据え付け、揚重ロープ１６を取り外す。
【００２０】
揚重機１４の揚重ロープ１６は、ガイドレール２の頂部に取り付けられた滑車装置７を通してその下方に引き出されており、このためその揚重ロープ１６でエレベータ用品としてのロープヒッチ１８を昇降路１の天井面１ａに近接する位置にまで容易に能率よく揚重することができ、したがってロープヒッチ１８を昇降路１の頂部付近に配置させる必要があるときにそれをその頂部付近に容易に据え付けることができる。
【００２１】
図３及び図４には第２の実施形態を示してある。この実施形態においては、滑車装置７がガイドレール２の頂部にジャッキボルト装置２３を介して昇降路１の天井面１ａに圧接するように取り付けられている。
【００２２】
ジャッキボルト装置２３は支持台２４を備え、この支持台２４は図４に示すように水平なプレート２５の下面に互いに対向する一対の位置決め片２６を一体的に取り付けてなる。一対の位置決め片２６の対向間の間隔は、ガイドレール２の刃部２ａの厚さよりやや大きな寸法となっている。また、プレート２５には各位置決め片２６の外側となる位置において挿通孔２７が形成され、これら挿通孔２７にそれぞれボルト３０が挿入され、これらボルト３０にプレート２５の上側においてそれぞれナット３１が螺着されている。
【００２３】
ガイドレール２の頂部にジャッキボルト装置２３を用いて滑車装置７を取り付ける手順について説明すると、まず支持台２４のプレート２５をガイドレール２の上端面の上に乗せる。この際、プレート２５の下面の位置決め片２６の対向間にガイドレール２の刃部２ａを挿入させて支持台２４を位置決めする。
【００２４】
次に、プレート２５の挿通孔２７にナット３１を備えるボルト３０をそれぞれ挿入して起立させる。そして両ボルト３０の上端の上に滑車装置７における第１の板材８の水平板８ａを乗せる。すなわち、両ボルト３０の上端に第１の板材８の水平板８ａの中間部を当て滑車装置７を水平に支持する。
【００２５】
次に、この状態で滑車装置７の滑車１１ａ，１１ｂに揚重機１４の揚重ロープ１６を掛け通し、こののち各ボルト３０のナット３１を工具を用いて締め方向に回し、各ボルト３０と共に滑車装置７を上昇させる。そして滑車装置７における板材８の水平板８ａを昇降路１の天井面１ａに押し当て、さらに各ナット３１を締め込んで板材８の水平板８ａを昇降路１の天井面１ａに圧着させる。これにより滑車装置７がガイドレール２の頂部と昇降路１の天井面１ａとの間にジャッキボルト装置２３を介して強固に安定して固定される。
【００２６】
このように滑車装置７を据え付けた後に、第１の実施形態の場合と同様に、揚重機１４の揚重ロープ１６を繰出してその先端のシャックル１７を所定のレベルの位置にまで下げ、そのシャックル１７に掛具１９を用いてエレベータ用品としてのロープヒッチ１８を連結し、揚重機１４を駆動して揚重ロープ１６を引込み、ロープヒッチ１８を引き上げる。そして引き上げたロープヒッチ１８を所定の据え付け位置に据え付け、揚重ロープ１６を取り外す。
【００２７】
この第２の実施形態の場合には、滑車装置７をジャッキボルト装置２３により昇降路１の天井面１ａに圧着するように据え付けることができるため、滑車装置７を強固に安定して支持することができるとともに、滑車装置７が昇降路１の天井面１ａに接触する位置にまで上昇するため、エレベータ用品としてのロープヒッチ１８をより高い位置にまで揚重することができる。
【００２８】
図５及び図６には第３の実施形態を示してあり、この実施形態においては、ガイドレール２の頂部に第１の実施形態の場合と同様にレールクリップ１２を介して滑車装置７が締結固定され、この滑車装置７の滑車１１ａ，１１ｂに揚重機１４の揚重ロープ１６が掛け通されている。そしてこの第２の実施形態ではガイドレール２の刃部２ａに案内具３５が装着されている。
【００２９】
案内具３５は、図６に示すように、ほぼ矩形筒状をなすケース３６を有し、このケース３６内にガイドレール２の刃部２ａが嵌合されている。ケース３６内には、刃部２ａの両側面にスプリング３７を介して弾性的に接触するシュー３８と、刃部２ａの端面に回転自在に接触するローラ３９が設けられているとともに、ケース３６の外側面に刃部２ａの根元の両側面に回転自在に接触するローラ４０が設けられ、これらシュー３８及びローラ３９，４０と刃部２ａとの接触で案内具３５がガイドレール２に沿って円滑に移動するようになっている。そしてケース３６の外面に連結板４１がピン４２を介して回動自在に取り付けられている。なお、この案内具３５はガイドレール２に滑車装置７を取り付ける前に、そのガイドレール２の頂部から刃部２ａに嵌合される。
【００３０】
この実施形態の場合は、揚重機１４の揚重ロープ１６を繰出してその先端のシャックル１７を所定のレベルの位置にまで下げ、そのシャックル１７に掛具１９を用いてエレベータ用品としてのロープヒッチ１８を連結した際に、そのロープヒッチ１８の一部に案内具３５の連結板４１をピン４３を介して回動自在に連結する。連結板４１は前記掛具１９による連結部よりも下側でかつその連結部から十分に離れる位置に定めることが好ましい。
【００３１】
この状態で、揚重機１４を駆動して揚重ロープ１６を引込み、ロープヒッチ１８を引き上げる。揚重機１４の駆動でロープヒッチ１８が上昇する際には、このロープヒッチ１８と一体的に案内具３５がガイドレール２に沿って上昇する。そしてこの案内具３５によりロープヒッチ１８の横の動きが規制され、したがってロープヒッチ１８の上昇中の揺動を抑えて安定してかつ安全にロープヒッチ１８を昇降路１の頂部付近にまで揚重することができる。
【００３２】
図７には第４の実施形態を示してある。この実施形態においてはガイドレール２の頂部に第２の実施形態の場合と同様にジャッキボルト装置２３を介して滑車装置７が据え付けられている。この実施形態の滑車装置７においては、一端側の端部に１つの滑車１１ａが設けられているだけで、他端側の端部には軸部材９のみが設けられた構造となっている。
【００３３】
そして、前記滑車１１ａに揚重機１４の揚重ロープ１６が巻き掛けられ、この揚重ロープ１６の先端部が前記軸部材９に係止され、この揚重ロープ１６の前記滑車１１ａと軸部材９との間がＵ字状に垂下され、このＵ字状の部分に動滑車装置４５が設けられている。動滑車装置４５は横長の板材４６の両端部に滑車４７ａ，４７ｂを回転自在に取り付けてなる。そしてこの動滑車装置４５の滑車４７ａ，４７ｂの下側に前記Ｕ字状部分の揚重ロープ１６が通り、この揚重ロープ１６により動滑車装置４５が水平に支持され、この動滑車装置４５に吊具４８を介して収納ボックス４９が吊り下げられている。
【００３４】
この実施形態の場合には、揚重機１４を駆動して揚重ロープ１６を繰出して動滑車装置４５を所定のレベルの位置にまで引き下げ、その位置で収納ボックス４９内に比較的小型のエレベータ用品５０を収納する。そして、揚重機１４を駆動し、揚重ロープ１６を引込む。この引込みにより動滑車装置４５が水平状態を保ったまま収納ボックス４９と共に上昇し、収納ボックス４９内のエレベータ用品５０が昇降路１の頂部にまで揚重される。したがって、そのエレベータ用品５０を収納ボックス４９内から取り出して昇降路１の頂部付近の所定の据え付け位置に据え付けることができる。
【００３５】
図８には第５の実施形態を示してあり、この実施形態においては、互いに隣り合う一対のガイドレール、例えばかご用のガイドレール５２ａと釣合い重り用のガイドレール５２ｂのそれぞれの頂部に滑車装置７が据え付けられている。そして一方のガイドレール５２ａを支持したブラケット５３に揚重機１４が連結され、この揚重機１４の揚重ロープ１６が一方のガイドレール５２ａに据え付けられた滑車装置７の滑車１１ａ，１１ｂに掛け通され、さらに他方のガイドレール５２ｂに据え付けられた滑車装置７の滑車１１ａ，１１ｂに掛け通され、その先端側の端部が他方のガイドレール５２ｂを支持したブラケット５４に係止されている。
【００３６】
そして、一方の滑車装置７と他方の滑車装置７とに渡る区間の揚重ロープ１６がＵ字状に垂下され、このＵ字状の部分にエレベータ用品としての例えばビーム６０が支持されている。このエレベータ用品としてのビーム６０には、予めその両端部に滑車６２が回転自在に取り付けられており、これら滑車６２にＵ字状部分の揚重ロープ１６が掛け合わされてビーム６０が支持されている。
【００３７】
エレベータ用品としてのビーム６０を揚重して昇降路１の頂部に据え付ける際には、上述のようにビーム６０を滑車６２を介して揚重ロープ１６に取り付け、この状態で揚重機１４を駆動し、揚重ロープ１６を引込み、ビーム６０を上昇させる。そしてビーム６０が所定のレベルの位置に達した際に、揚重機１４を止め、ビーム６０を所定の据え付け位置に据え付け、またビーム６０の滑車６２から揚重ロープ１６を取り外す。
【００３８】
この場合においても、滑車装置７がガイドレール５２ａ，５２ｂの頂部に取り付けられているから、ビーム６０を昇降路１の天井面１ａの至近距離の位置にまで揚重して所定の据え付け位置に据え付けることができる。
【００３９】
なお、滑車装置をガイドレールの頂部に据え付ける手段としては、レールクリップを用いる場合のほか、ガイドレールに挿入穴を予め形成しておき、その挿入穴に締結具としてのボルトを通し、そのボルトを介して滑車装置をガイドレールに締結固定することも可能である。
【００４０】
また、滑車装置はガイドレールの頂部に設けるだけでなく、例えば昇降路の内壁面にも設け、その滑車装置をホールドア用品などの揚重や取り付けに用いるようにすることも可能である。
【００４１】
以上述べたように、この発明によれば、建屋の昇降路内にエレベータを設置する際に、そのエレベータ用品を昇降路の頂部の位置にまで簡易な手段で容易に能率よく揚重することができ、したがって効率よくかつ安全にエレベータの設置作業を進めることができる。
【図面の簡単な説明】
【００４２】
【図１】この発明の第１の実施形態に係るエレベータ用品の揚重装置を示す正面図。
【図２】その揚重装置における滑車装置を示す斜視図。
【図３】この発明の第２の実施形態に係るエレベータ用品の揚重装置を示す正面図。
【図４】その揚重装置をガイドレールに据え付けるジャッキボルト装置の支持台を示す斜視図。
【図５】この発明の第３の実施形態に係るエレベータ用品の揚重装置を示す正面図。
【図６】その揚重装置の案内具を示す平面図。
【図７】この発明の第４の実施形態に係るエレベータ用品の揚重装置を示す正面図。
【図８】この発明の第５の実施形態に係るエレベータ用品の揚重装置を示す正面図。
【符号の説明】
【００４３】
１…昇降路
１ａ…天井面
２…ガイドレール
２ａ…刃部
７…滑車装置
１１ａ．１１ｂ…滑車
１２…レールクリップ（締結具）
１４…揚重機
１６…揚重ロープ
１８…ロープヒッチ（エレベータ用品）
２３…ジャッキボルト装置
３０…ボルト
３１…ナット
３５…案内具
４５…動滑車装置
４７ａ．４７ｂ…滑車
４９…収納ボックス
５０…エレベータ用品
５２ａ．５２ｂ…ガイドレール
６０…ビーム（エレベータ用品）
６２…滑車
【図１】
2008007221.tif 000003
【図２】
2008007221.tif 000004
【図３】
2008007221.tif 000005
【図４】
2008007221.tif 000006
【図５】
2008007221.tif 000007
【図６】
2008007221.tif 000008
【図７】
2008007221.tif 000009
【図８】
2008007221.tif 000010